(57)【要約】【課題】  操作性に優れた戸を提供する。【解決手段】  戸本体と、エッジ材とを備え、戸本体は、見込面の一側部において見付方向に突出した手掛部を長手方向に沿って有し、エッジ材は、戸本体の見込面に長手方向に沿って取り付けられるものであって、手掛部を覆う手掛被覆部と、見込面の他側部において見付方向に突出した裏面側突出部を有していて、手掛部と裏面側突出部との間には指挿入空間を有する。【選択図】      図１
2020063615.tif 000002
【特許請求の範囲】
【請求項１】
戸本体と、エッジ材とを備え、
戸本体は、見込面の一側部において見付方向に突出した手掛部を長手方向に沿って有し、
エッジ材は、戸本体の見込面に長手方向に沿って取り付けられるものであって、手掛部を覆う手掛被覆部と、見込面の他側部において見付方向に突出した裏面側突出部を有していて、手掛部と裏面側突出部との間には指挿入空間を有することを特徴とする戸。
【発明の詳細な説明】
【技術分野】
【０００１】
本発明は、戸に関する。
【背景技術】
【０００２】
従来、特許文献１に示された、把手を取り付ける代わりに手指を差し込むための縦溝部を備えた折戸が知られているが、開き戸に縦溝部を設ける場合、戸本体の強度を保つためには縦溝部の見込寸法が小さくなり手指が差し込み難いため、操作性の優れるものが求められていた。
【先行技術文献】
【特許文献】
【０００３】
【特許文献１】特開２０１４−４７５９２号公報
【発明の概要】
【発明が解決しようとする課題】
【０００４】
本発明は上記実情に鑑み、操作性に優れた戸を提供することを目的とする。
【課題を解決するための手段】
【０００５】
本発明の戸は、戸本体と、エッジ材とを備え、戸本体は、見込面の一側部において見付方向に突出した手掛部を長手方向に沿って有し、エッジ材は、戸本体の見込面に長手方向に沿って取り付けられるものであって、手掛部を覆う手掛被覆部と、見込面の他側部において見付方向に突出した裏面側突出部とを有していて、手掛部と裏面側突出部との間には指挿入空間を有することを特徴とする。
【発明の効果】
【０００６】
本発明の戸によれば、手掛被覆部と裏面側突出部を有するエッジ材を、戸本体とは別体として備えているため、戸本体の材質や加工方法等に関わらず、指挿入空間が形成可能であり、指挿入空間の見込径を十分長く設けることができ、強度が保たれると共に操作性に優れる。
【図面の簡単な説明】
【０００７】
【図１】（ａ）は図２のＡ−Ａ線断面図、（ｂ）は図１（ａ）の要部拡大図である。
【図２】戸の正面図である。
【図３】図２のＢ−Ｂ線断面図である。
【図４】滑り止め部への指の掛かり方を説明するための操作の軌跡図である。
【図５】滑り止め部への指の掛かり方を説明するための要部拡大図である。
【図６】（ａ）は図２のＣの拡大図、（ｂ）はＤの拡大図である。
【図７】小口キャップの（ａ）は平面図、（ｂ）は正面図である。
【発明を実施するための形態】
【０００８】
以下、本発明の実施の形態を図面に基づいて説明する。本発明に係る戸は、戸本体１とエッジ材２を備え、例えば縦枠３ａ，３ａと、縦枠３ａ，３ａの上部の間に掛け渡される横枠３ｂとによって枠組みされた枠体に取り付けられる。戸は様々な場所に設置可能なものであるが、ここでは戸本体１の一方側端部が縦枠３ａにヒンジ４を介して取り付けられており、このヒンジ４の鉛直軸回りの回動によって戸本体１の他方側端部が前後動自在である開き戸としてクローゼット等の開閉に用いる場合を示す。なお、以下において開き戸を操作する側を表面側としており、図２は表面側から見た正面図である。また、一方側及び他方側とは、図１に示す通りとする。
【０００９】
戸本体１は、図１に示すように、他方側端部において、表面側見付面１０ａに手掛部１１が設けられており、一方側端部は、表面側の角部が面取りされており、指を挟み難くなっている。戸本体１は、例えばＬＶＬ等の芯材の外周にＭＤＦ等の表面材を巻き付けて形成されたものであり、表面には化粧シートや各種塗装が施されていてもよい。手掛部１１は、戸本体１の長手方向に亘って設けられており、戸本体１の他方側端部から他方側へと突出している。手掛部１１の表面側は、戸本体１の表面側見付面１０ａを他方側へと延出させて設けられており、裏面側は先端部から基部に向かって肉厚となるように傾斜面１１ａが形成されているため、断面視すると他方側へ山型に突出した形状となっている。本実施形態のように開き戸とする場合は、図１及び図２に示すように、戸本体１の一方側端部が、縦枠３ａに対しヒンジ４を介して回動自在に連結されており、表面側又は裏面側へ戸本体１の他方側端部を引く又は押すことで開閉される。ヒンジ４は、戸本体１の裏面側見付面１０ｂの一方側端部に裏面側からネジ止めされている。そして図３に示すように、開き戸の閉状態において、上側の横枠３ｂの下面の、戸本体１の裏面側見付面の他方側上端部に当接する位置にはストッパー５が取り付けられており、戸を閉める際には、戸本体１の他方側端部が一方側端部よりも裏面側へと回動することがないので戸本体１はヒンジ４に過度な負荷がかかることなく回動自在である。また、ストッパー５は、開き戸の他方側上端部に当接する際の衝撃が低減されるよう、例えばゴム等の弾性素材で形成されたり、戸本体1と係合する構成をとったりするのが好ましい。
【００１０】
エッジ材２は、図１（ｂ）に示すように戸本体１の手掛部１１と、裏面側見付面１０ｂの他方側端部と、見込面１０ｃとを覆うように戸本体１の長手方向全長に亘って取り付けられていて、裏面側突出部２６と、手掛被覆部２０とから構成されている。なお本実施例では、裏面側突出部２６と手掛被覆部２０は、例えばアルミニウム合金の押出形材等を用いて別体形成されている。
【００１１】
手掛被覆部２０は、手掛部１１を裏面側および他方側から覆って保護するものであって、先端カバー部２１と、滑り止め部２２と、傾斜部２３と、固定部２４ａ、２４ｂ、２４ｃと、係合凹部２５とをそれぞれエッジ材２の長手方向に亘って備えている。なお、手掛被覆部２０の下端は戸本体１の下端面よりも上方に位置しており、手掛被覆部２０の上端は戸本体１の上端面よりも下方に位置している。先端カバー部２１は、手掛被覆部２０の表面側端部に位置し、手掛部１１の先端を覆っている。先端カバー部２１の表面側見付面２１ａと手掛部１１の表面側見付面１０ａは面一である。先端カバー部２１の表面側見付面２１ａは左右方向の寸法が小さくなるよう形成されているので、戸を閉じた状態で正面から視認される面積が小さく意匠性に優れる。先端カバー部２１の裏面側には滑り止め部２２が形成されている。滑り止め部２２は、例えば表面に凹凸を設けたものや、滑りにくい材質のものを用いたり、滑り止め材を貼付又は塗布したものを用いたりしてもよく、本実施形態のように裏面側に突出する突部としてもよい。傾斜部２３は、先端カバー部２１と固定部２４ａの間に設けられ、手掛部１１の傾斜面１１ａに沿うように形成されている。手掛被覆部２０は、固定部２４ａ、２４ｂがそれぞれ、戸本体１の他方側見込面である固定壁１２ａと、戸本体１の裏面側見付面である固定壁１２ｂにネジ止めされて取り付けられる。固定部２４ａは、傾斜部２３の裏面側端部から、戸本体の固定壁１２ａに沿うようにして見込方向に延びている。固定部２４ｂは手掛被覆部２０の裏面側端部から、戸本体１の固定壁１２ｂに沿うように一方側へと延出して設けられた略平板状の部材である。固定部２４ｃは、固定部２４ａの裏面側端部よりもやや表面側から、他方側へと延出して設けられた略平板上の部材であって、後述する裏面側突出部２６の固定部２６ｂにネジ止めされる。係合凹部２５は、小口キャップ６と係合されるために設けられた平面視長方形状の空間であって、固定部２４ｂの表面側見付面にエッジ材２の長手方向に亘って設けられた平面視略長方形状の凹部であって、係合凹部２５と戸本体１の固定壁１２ｂとによって囲まれた略直方体状の空間の上下端に小口キャップ６が係合する。
【００１２】
裏面側突出部２６は、戸本体１の長手方向に亘って、手掛被覆部２０の固定部２４ａの後端部から他方側へと突出して設けられていて、それぞれ略平板状の表面側見付壁２６ａと、固定部２６ｂと、隔壁２６ｃと、見付壁２６ｄとを戸本体１の長手方向に亘って備えている。なお、裏面側突出部２６の下端は戸本体１の下端面よりも上方に位置しており、裏面側突出部２６の上端は戸本体１の上端面よりも下方に位置している。また、裏面側突出部２６は、固定部２６ｂの一方側部分が、手掛被覆部２０の固定部２４ｃにネジ止めされている。このため固定部２４ｃは、固定部２６ｂに沿うように設けられている。隔壁２６ｃは、表面側見付壁２６ａと固定部２６ｂそれぞれの中間部を連結するように見込方向に設けられており、隔壁２６ｃと、表面側見付壁２６ａと、見付壁２６ｄと、固定部２６ｂとで囲まれた平面視長方形状の中空部２６ｅがエッジ材の長手方向に亘って形成されている。指挿入空間Ｓは、手掛被覆部２０の滑り止め部２２と、傾斜部２３と、固定部２４ａと、裏面側突出部２６の表面側見付面２６ａとによって囲まれた空間である。固定部２４ａから先端カバー部２１までの長さは、固定部２４ａから裏面側突出部２６の他方側端部までの長さよりも短いので、指挿入空間Ｓに表面側から指を挿し込むことができる。
【００１３】
図２および図３に示すように、戸本体１の他方側端部及びエッジ材２の上下端部には、小口キャップ６、６が取り付けられている。小口キャップ６は、平板状の基部６ａと、基部６ａに略垂直に突設された略平板状の係合片６ｂ、６ｃとから構成されており、小口キャップ６をエッジ材２の手掛被覆部２０及び裏面側突出部２６の上下端にそれぞれ取り付けた際には、基部６ａの端面６ｅが戸本体１の上端面及び下端面と略面一となる。係合片６ｂ、６ｃは、それぞれ手掛被覆部２０の係合凹部２５と、中空部２６ｅ内の見付壁２６ｄと係合するためのものである。係合片６ｂは、係合凹部２５に挿入し易いよう先細り状に形成されている。係合片６ｃの他方側面には、見付壁２６ｄに係合する平面視楔状の突起部６ｄが突設されている。突起部６ｄは、中空部２６ｅに挿入しやすいよう先細り状に形成されている。
【００１４】
次に、開き戸を開く操作の際の滑り止め部２２への指の掛かり方を図４及び図５に基づいて説明する。図４は開き戸を閉じた状態から、操作者が表面側から戸本体１の手掛部１１に指を掛け表面側へ戸を引くことによって開き戸が開くまでの軌跡を示している。図５（ａ）〜（ｃ）は図４のうち最初の状態と途中の状態及び最後の状態における要部を拡大して示しており、一点鎖線は滑り止め部２２の突出方向と指先の挿入方向を示し、矢印は指が手掛部１１を引く方向を示す。
まず、開き戸を閉じた状態で操作者が手掛部１１に手を掛けた際には、滑り止め部２２である突部は左右方向に対して略垂直方向の裏面側に向けて突出しており、指挿入空間Ｓは正面及び他方側に開口している。図５（ａ）に示すように、手掛部１１に掛けた手を手前に引きながら戸を開いていくと、滑り止め部２２の突出方向は左右方向となす角度が小さくなるように傾いていく。図５（ｂ）のような戸を開く途中の状態において、使用者は指挿入空間Ｓの開口方向に向けて手掛部１１を引くことになるため、指挿入空間Ｓの見込寸法が小さいと、手指を差し込み難いが、本発明の戸を用いた開き戸では、手掛被覆部２０と裏面側突出部２６を有するエッジ材２を備え、エッジ材２のみの構成によって指挿入空間Ｓの見込寸法を調整可能であるので、戸本体１の材質や加工方法等に関わらず、指挿入空間Ｓの見込径を十分長く設けることができ、手指を差し込み易く操作性に優れる。また、指挿入空間Ｓを有するのみでは手掛部１１から指が滑りやすいが、本発明の戸を用いた開き戸では、図４及び図５に示すように、滑り止め部２２が指挿入空間Ｓ内の指先の挿入方向と交差する方向に突出しているため、操作の最初から最後まで指先が滑り止め部２２にしっかりと引っ掛かり、容易に戸を開けることができる。
【００１５】
次いで、前述のように構成した戸による作用効果について述べる。戸は、手掛被覆部２０と裏面側突出部２６を有するエッジ材２を戸本体１とは別体として備えているため、戸本体の材質や加工方法等に関わらず、指挿入空間Ｓが形成可能となり、見込径を十分長く設けることができ、強度が保たれるとともに操作性に優れる。また、開き戸においては、仮に裏面側突出部を戸本体と一体形成して本発明の戸のような指挿入空間を形成しようとした場合、裏面側突出部の見込寸法が小さくなり、ストッパーと戸とが当接する際の裏面側突出部の強度不足が懸念される。該懸念に対しては、例えば戸本体１の材質を金属にするといった対策が考えられるが、戸本体１の加工手順が煩雑となることが予想される。本発明の戸を用いた場合は、ストッパー５には、エッジ材２が当接するため、戸本体１の材質や加工方法等に依らず、戸の耐久性に優れており、またエッジ材２は金属を押し出し形成したものを戸本体１にネジ止めすればよいので、加工性にも優れる。
【００１６】
さらに、裏面側突出部２６に平面視長方形状の中空部２６ｅが十分に広く形成されているため、小口キャップの取り付けが容易であり、加えて小口キャップの納まりが良く、安定性に優れる。また、小口キャップ６の端面６ｄと、戸本体１の下端面とが略面一であるため、戸と床面との隙間を狭くでき、足挟み等を防止できる。
【００１７】
また、エッジ材２は手掛被覆部２０を、指挿入空間Ｓの見込面、言い換えれば戸本体１の固定壁１２ａと、固定壁１２ｂとにネジ止めされているので、表面側から見た際にエッジ材２を固定するネジが目立たず、意匠性に優れる。加えて、手掛被覆部２０は手掛部１１を裏面側および他方側から覆っているため、戸を表面側から見た際に手掛被覆部２０が目立たず扉面を広く見せることができるので、意匠性が損なわれることがない。
さらに、エッジ材２の手掛被覆部２０と裏面側突出部２６は別体形成されるので、それぞれ異なる塗装や化粧シートの巻き付けを施したり、異なる色の材質とする等、個々の装飾を容易に施すことができ、意匠性に優れる。
【００１８】
そして、戸本体１の手掛部１１は、エッジ材２によって保護されているので、戸の開け閉めが繰り返し行われることによる手掛部１１の表面の摩耗や損傷を防ぐこともできる。また、手掛被覆部２０の滑り止め部２２は裏面側に向けて突出した突部であるので、突部に指が掛かることで指の滑りを防止することができる。さらに、エッジ材２を手掛部１１の長手方向全長に設ければ、長手方向の任意の位置で操作可能となり、操作する者の身長に関わらず使い勝手に優れる。
【００１９】
本発明は、上記の実施形態に限定されない。例えば、戸は開き戸に限らず折戸や引戸等であってもよい。また、戸の取り付けられる枠体は下枠を有するものでもよい。
【符号の説明】
【００２０】
１      戸本体
１１    手掛部
２      エッジ材
２０    手掛被覆部
２６    裏面側突出部
Ｓ      指挿入空間
【図１】
2020063615.tif 000003
【図２】
2020063615.tif 000004
【図３】
2020063615.tif 000005
【図４】
2020063615.tif 000006
【図５】
2020063615.tif 000007
【図６】
2020063615.tif 000008
【図７】
2020063615.tif 000009